(57)【要約】【課題】住宅内の他室で発生する熱および蓄積する熱を利用しながら換気を行うため、省エネルギー効果が高い換気システムを提供することを目的とする。【解決手段】建物１内における第一の部屋２と第二の部屋３を連通させる第一の連通手段４と、第一の部屋２および第二の部屋３を室外５または７と連通させる第二の連通手段６と、第一の連通手段４を介して強制的に前記部屋間の送風を発生させる送風手段１０と、第一の部屋２と第二の部屋３の少なくとも一方の温度を計測する温度センサー１１または１２で計測した温度と部屋の目標温度を比較して温度計測手段１１または１２が温度を計測する部屋とは別の部屋の温度を前記目標温度に近づけるように、送風手段１０により、前記部屋間の送風を起こす制御を行い建物１内の換気を行なう換気システム。【選択図】図１
2006098017.tif 000002
【特許請求の範囲】
【請求項１】
建物内における第一の部屋と第二の部屋を連通させる第一の連通手段と、前記第一の部屋および第二の部屋を室外と連通させる第二の連通手段と、前記第一の連通手段を介して強制的に前記部屋間の送風を発生させる送風手段と、前記第一の部屋と前記第二の部屋の少なくとも一方の温度を計測する温度計測手段と部屋の目標温度と前記温度計測手段が計測した温度を比較して前期温度計測手段が温度を計測する部屋とは別の部屋の温度を前記目標温度に近づけるように、前記送風手段により、前記部屋間の送風を起こす制御手段とを備えた換気システム。
【請求項２】
温度の高い部屋の空気を温度の低い部屋へまたは温度の低い部屋の空気を温度の高い部屋へ流すように強制的に送風する構成をする請求項１記載の換気システム。
【請求項３】
リビングルームと寝室を前記第一の連通手段により連通させて、リビングルーム側の空気状態を利用して、寝室側を目標温度に近づけるようリビング側から寝室側へ強制的に空気を流す制御を行う項１記載の換気システム。
【請求項４】
リビングルームと寝室を前記第一の連通手段により連通させて、寝室側の空気状態を利用して、リビング側を目標温度に近づけるよう寝室側からリビング側へ強制的に空気を流す制御を行う請求項１記載の換気システム。
【請求項５】
前記温度計測手段を前記第一の部屋、および、前記第二の部屋の両方に設け、二つの部屋の少なくとも一方の部屋の温度をあらかじめ設定した目標温度に近づけるように空気の流れを制御する請求項１記載の換気システム。
【請求項６】
前記第一の部屋と前記第二の部屋の少なくとも一方の部屋に個別に空気調和機を取り付けて、空気調和された一方の部屋の空気を他方の部屋へ強制的に空気の流れを制御する請求項１記載の換気システム。
【請求項７】
前記目標温度は、空気調和機の設定温度に対して上か下の温度とする請求項６記載の換気システム。
【請求項８】
温度の近づけ方を目標温度より高い温度へ近づけるか、または、低い温度へ近づけるかを設定する温度設定手段を有し、高い温度へ近づける場合は、温度計測手段の計測温度が目標温度より高いときに、他方の部屋へ排気し、低い温度へ近づける場合は、温度計測手段の計測温度が目標温度より低いときに他方の部屋へ排気して、他方の部屋の温度を目標温度に近づける制御を行う請求項１記載の換気システム。
【請求項９】
前記第一の部屋と前記第二の部屋は、一日のうち居住する時間帯のことなる部屋であって、所定の時間帯で居住する側の温度を目標温度に近づけるように居住しない側から居住する側へ強制的に空気を流す制御を行う請求項１、３または、４記載の換気システム。
【請求項１０】
前記第一の部屋と前記第二の部屋は、一日の日照条件の異なる部屋であって、少なくとも一方の部屋の温度を目標温度に近づけるよう他方の部屋から強制的に空気を流す制御を行う請求項１記載の換気システム。
【請求項１１】
前記第一の部屋と前記第二の部屋は、東側に面しているの部屋と西側二面している部屋であって、目標温度に近づけるように一日のうちの日照状態に連動させて、東側の部屋から西側の部屋、または、西側の部屋から東側の部屋へ強制的に空気を流す制御を行う請求項１記載の換気システム。
【請求項１２】
前記第一の部屋と前記第二の部屋にそれぞれ人感センサーを備え、人のいる側の部屋の温度を目標温度に近づけるよう制御する制御手段を設けた請求項１記載の換気システム。
【請求項１３】
前記第一の部屋と前記第二の部屋にそれぞれ空気調和機の動作を検知する空調機検知手段を設け、前記空気調和機の動作している部屋の温度を目標温度に近づけるよう制御する制御手段を設けた請求項１または６記載の換気システム。
【発明の詳細な説明】
【技術分野】
【０００１】
本発明は、住宅の換気システムに関する。
【背景技術】
【０００２】
近年、住宅の気密性の向上により建築材から発生する化学物質による人体への影響が注目されており、住宅の換気を省エネルギーでおこなえる換気システムの要望が高まってきて
ている。
【０００３】
従来この種の換気システムは、家屋の各部屋に設けた熱交換気装置が自ら外気と連通して換気を行なうとともに、各階の共通空間に外気に連通させた送風機によって、共通空間に
流出した空気を外気へ排気するものであった（例えば、特許文献１参照）。
【０００４】
以下、その換気装置について図７を参照しながら説明する。
【０００５】
家屋１０１において、各居室１０２には、排気量に比較して給気量の多い熱交換換気扇１０３を配設している。また、１階共有空間１０４には、排気ファン１０５を配設している。そして、これらの熱交換換気扇１０３並びに排気ファン１０５はいずれも外気に連通させている。各居室１０２に配設された熱交換換気扇１０３は、屋外の新鮮な空気を所定温度に調節しつつ各居室１０２に給気する。また、前記熱交換換気扇１０３は、各居室１０２内の空気を自ら室外へ排気するが、熱交換換気扇１０３は排気量に対して給気量を多くしているため、室内の空気の一部が、例えば各居室１０２のドア等の壁面に形成することのできる通気孔１０６を通じて共有空間１０７に自然に流出した後に、所定の１階共有空間１０４において、排気ファン１０５によって屋外へ排気される。
【０００６】
このように、従来の換気システムは、居室１０２に給気し、共有空間１０４から排気するという空気の流れを形成して換気を行うものであった。
【特許文献１】特開２０００−２４０９９７号公報
【発明の開示】
【発明が解決しようとする課題】
【０００７】
このような従来の構成では、各部屋に配置した熱交換換気扇で個別の部屋ごとに住宅内の熱を回収して換気を行なっているために、使用していない部屋で発生、または、蓄積している熱を利用して熱利用率の高い換気することができないという課題があった。
【０００８】
本発明は、このような従来の課題を解決するもので、二つの部屋を連通させて送風機により強制的に部屋間に空気を流して換気を行い、住宅内で発生または蓄積している熱を効果的に利用する換気システムを提供することを目的とする。
【課題を解決するための手段】
【０００９】
前記課題を解決するために、本発明の換気システムは、建物内における第一の部屋と第二の部屋を連通させる第一の連通手段と、前記第一の部屋および第二の部屋を室外と連通させる第二の連通手段と、前記第一の連通手段を介して強制的に前記部屋間の送風を発生させる送風手段と、前記第一の部屋と前記第二の部屋の少なくとも一方の温度を計測する温度計測手段と部屋の目標温度と前記温度計測手段が計測した温度を比較して前期温度計測手段が温度を計測する部屋とは別の部屋の温度を前記目標温度に近づけるように、前記送風手段により、前記部屋間の送風を起こす制御を行う換気システムの構成としたものである。
【００１０】
また、温度の高い部屋の空気を温度の低い部屋へ、または、温度の低い部屋の空気を温度の高い部屋へ流すように強制的に送風する制御を行う構成としたものである。
【００１１】
また、リビングルームと寝室を前記第一の連通手段により連通させて、リビングルーム側の空気状態を利用して、寝室側を目標温度に近づけるようリビング側から寝室側へ強制的に空気を流す制御を行う構成としたのものである。
【００１２】
また、リビングルームと寝室を前記第一の連通手段により連通させて、寝室側の空気状態を利用して、リビング側を目標温度に近づけるよう寝室側からリビング側へ強制的に空気を流す制御を行う構成としたものである。
【００１３】
また、前記温度計測手段を前記第一の部屋、および、前記第二の部屋の両方に設け、二つの部屋の少なくとも一方の部屋の温度をあらかじめ設定した目標温度に近づけるように空気の流れを制御する構成としたものである。
【００１４】
また、前記第一の部屋と前記第二の部屋の少なくとも一方の部屋に個別に空気調和機を取り付けて、空気調和された一方の部屋の空気を他方の部屋へ強制的に空気の流れを制御する構成としたものである。
【００１５】
また、前記目標温度は、空気調和機の設定温度に対して上か下の温度とする構成としたものである。
【００１６】
また、温度の近づけ方を目標温度より高い温度へ近づけるか、または、低い温度へ近づけるかを設定する温度設定手段を有し、高い温度へ近づける場合は、温度計測手段の計測温度が目標温度より高いときに、他方の部屋へ排気し、低い温度へ近づける場合は、温度計測手段の計測温度が目標温度より低いときに他方の部屋へ排気して、他方の部屋の温度を目標温度に近づける制御を行う構成としたものである。
【００１７】
また、前記第一の部屋と前記第二の部屋は、一日のうち居住する時間帯のことなる部屋であって、所定の時間帯で居住する側の温度を目標温度に近づけるように居住しない側から居住する側へ強制的に空気を流す制御を行う構成としたものである。
【００１８】
また、前記第一の部屋と前記第二の部屋は、一日の日照条件の異なる部屋であって、少なくとも一方の部屋の温度を目標温度に近づけるよう他方の部屋から強制的に空気を流す制御を行う構成としたものである。
【００１９】
また、前記第一の部屋と前記第二の部屋は、東側に面しているの部屋と西側二面している部屋であって、目標温度に近づけるように一日のうちの日照状態に連動させて、東側の部屋から西側の部屋、または、西側の部屋から東側の部屋へ強制的に空気を流す制御を行う構成としたものである。
【００２０】
また、前記第一の部屋と前記第二の部屋にそれぞれ人感センサーを備え、人のいる側の部屋の温度を目標温度に近づけるよう制御する構成としたものである。
【００２１】
また、前記第一の部屋と前記第二の部屋にそれぞれ空気調和機の動作を検知する空調機検知手段を設け、前記空気調和機の動作している部屋の温度を目標温度に近づけるよう制御する構成としたものである。
【発明の効果】
【００２２】
以上のように本発明の換気装置によれば、建物内における第一の部屋と第二の部屋を連通させる第一の連通手段と、前記第一の部屋および第二の部屋を室外と連通させる第二の連通手段と、前記第一の連通手段を介して強制的に前記部屋間の送風を発生させる送風手段と、前記第一の部屋と前記第二の部屋の少なくとも一方の温度を計測する温度計測手段と部屋の目標温度と前記温度計測手段が計測した温度を比較して前期温度計測手段が温度を計測する部屋とは別の部屋の温度を前記目標温度に近づけるように、前記送風手段により、前記部屋間の送風を起こすことにより、前記部屋間の空気の流れをつくり、一方の部屋で発生または蓄えられている熱を他方の部屋へ空気の流れとともに移動させて有効に使用しながら室内の換気を行うことができる。
【００２３】
また、温度の高い部屋の空気を温度の低い部屋へ、または、温度の低い部屋の空気を温度の高い部屋へ流すように強制的に送風する制御を行うことにより、一方の室内で発生した熱や蓄えられている熱を有効に利用して、換気を行うことができる。
また、リビングルームと寝室を前記第一の連通手段により連通させて、リビングルーム側の空気状態を利用して、寝室側を目標温度に近づけるようリビングルーム側から寝室側へ強制的に空気を流すことで、リビングルーム側で発生した熱や蓄えられている熱を有効に利用して換気を行うことができる。
【００２４】
また、リビングルームと寝室を前記第一の連通手段により連通させて、寝室側の空気状態を利用して、リビング側を目標温度に近づけるよう寝室側からリビング側へ強制的に空気を流すことで、寝室側で発生した熱や蓄えられている熱を有効に利用して換気を行うことができる。
【００２５】
また、前記温度計測手段を前記第一の部屋、および、前記第二の部屋の両方に設け、二つの部屋の少なくとも一方の部屋の温度をあらかじめ設定した目標温度に近づけるように、前記部屋間の空気の流れをつくり、一方の部屋で発生または蓄えられている熱を他方の部屋へ空気の流れとともに移動させて有効に使用しながら、室内の換気を行うことができる。
【００２６】
また、前記第一の部屋と前記第二の部屋の少なくとも一方の部屋に個別に空気調和機を取り付けて、空気調和された一方の部屋の空気を他方の部屋へ強制的に空気の流れを制御することで、一方の部屋で発生する熱や蓄積している熱を有効に利用して、換気を行うことができる。
【００２７】
また、前記目標温度は、空気調和機の設定温度に対して上か下の温度とすることで、空気調和機の動作のあわせて室内で発生している熱や蓄積している熱を有効に利用しながら換気を行うことができる。
【００２８】
温度の近づけ方を目標温度より高い温度へ近づけるか、または、低い温度へ近づけるかを設定する温度設定手段を有し、高い温度へ近づける場合は、温度計測手段の計測温度が目標温度より高いときに、他方の部屋へ排気し、低い温度へ近づける場合は、温度計測手段の計測温度が目標温度より低いときに他方の部屋へ排気して、他方の部屋の温度を目標温度に近づける制御を行うことで一方の部屋で発生または,蓄積している熱を有効に利用しながら換気を行なうことができる。
【００２９】
また、前記第一の部屋と前記第二の部屋は、一日のうち居住する時間帯のことなる部屋であって、所定の時間帯で居住する側の温度を目標温度に近づけるように居住しない側から居住する側へ強制的に空気を流すことで、居住しない側で発生している熱や蓄積している熱を居住する側で有効に利用しながら換気を行うことができる。
【００３０】
また、前記第一の部屋と前記第二の部屋は、一日の日照条件の異なる部屋であって、少なくとも一方の部屋の温度を目標温度に近づけるよう他方の部屋から強制的に空気を流すことで、他方の部屋ので発生している熱や蓄積している熱一方の部屋で有効に利用しながら換気を行うことができる。
【００３１】
また、前記第一の部屋と前記第二の部屋は、東側に面しているの部屋と西側二面している部屋であって、目標温度に近づけるように一日のうちの日照状態に連動させて、東側の部屋から西側の部屋、または、西側の部屋から東側の部屋へ強制的に空気を流すことで、空気を流し込んだ側の部屋で、他方の部屋で発生している熱や蓄積している熱を有効に利用しながら換気を行うことができる。
【００３２】
また、前記第一の部屋と前記第二の部屋にそれぞれ人感センサーを備え、人のいる側の部屋の温度を目標温度に近づけるよう制御することで、人のいない側で発生している熱や蓄積している熱を人のいる側の部屋で有効に利用しながら換気を行うことができる。
【００３３】
また、前記第一の部屋と前記第二の部屋にそれぞれ空気調和機の動作を検知する空調機検知手段を設け、前記空気調和機の動作している部屋の温度を目標温度に近づけるよう制御することで、他方の部屋で発生している熱や蓄積している熱を空気調和機の動作している部屋で有効に利用しながら換気を行なうことができる。
【発明を実施するための最良の形態】
【００３４】
請求項１記載の発明は、建物内における第一の部屋と第二の部屋を連通させる第一の連通手段と、前記第一の部屋および第二の部屋を室外と連通させる第二の連通手段と、前記第一の連通手段を介して強制的に前記部屋間の送風を発生させる送風手段と、前記第一の部屋と前記第二の部屋の少なくとも一方の温度を計測する温度計測手段と部屋の目標温度と前記温度計測手段が計測した温度を比較して前期温度計測手段が温度を計測する部屋とは別の部屋の温度を前記目標温度に近づけるように、前記送風手段により、前記部屋間の送風を起こす作用を有する。
【００３５】
請求項２記載の発明は、温度の高い部屋の空気を温度の低い部屋へ、または、温度の低い部屋の空気を温度の高い部屋へ強制的に送風する作用を有する。
【００３６】
請求項３記載の発明は、リビングルームと寝室を前記第一の連通手段により連通させて、リビングルーム側の空気状態を利用して、寝室側を目標温度に近づけるようリビング側から寝室側へ強制的に空気を流す作用を有する。
【００３７】
請求項４記載の発明は、リビングルームと寝室を前記第一の連通手段により連通させて、寝室側の空気状態を利用して、リビング側を目標温度に近づけるよう寝室側からリビング側へ強制的に空気を流す作用を有する。
【００３８】
請求項５記載の発明は、前記温度計測手段を前記第一の部屋、および、前記第二の部屋の両方に設け、二つの部屋の少なくとも一方の部屋の温度をあらかじめ設定した目標温度に近づけるように空気を流す作用を有する。
【００３９】
請求項６記載の発明は、前記第一の部屋と前記第二の部屋の少なくとも一方の部屋に個別に空気調和機を取り付けて、空気調和された一方の部屋の空気を他方の部屋へ強制的に空気の流す作用を有する。
【００４０】
請求項７記載の発明は、前記目標温度を空気調和機の設定温度に対して上か下の温度として空気調和機の動作にあわせて強制的に空気を流す作用を有する。
【００４１】
請求項８温度の近づけ方を目標温度より高い温度へ近づけるか、または、低い温度へ近づけるかを設定する温度設定手段を有し、高い温度へ近づける場合は、温度計測手段の計測温度が目標温度より高いときに、他方の部屋へ排気し、低い温度へ近づける場合は、温度計測手段の計測温度が目標温度より低いときに他方の部屋へ排気して、他方の部屋の温度を目標温度に近づける作用を有する。
【００４２】
請求項９記載の発明は、前記第一の部屋と前記第二の部屋は、一日のうち居住する時間帯のことなる部屋であって、所定の時間帯で居住する側の温度を目標温度に近づけるように居住しない側から居住する側へ強制的に空気を流す作用を有する。
【００４３】
請求項１０記載の発明は、前記第一の部屋と前記第二の部屋は、一日の日照条件の異なる部屋であって、少なくとも一方の部屋の温度を目標温度に近づけるよう他方の部屋から強制的に空気を流す作用を有する。
【００４４】
請求項１１記載の発明は、前記第一の部屋と前記第二の部屋は、東側に面しているの部屋と西側二面している部屋であって、目標温度に近づけるように一日のうちの日照状態に連動させて、東側の部屋から西側の部屋、または、西側の部屋から東側の部屋へ強制的に空気を流す作用を有する。
【００４５】
請求項１２記載の発明は、前記第一の部屋と前記第二の部屋にそれぞれ人感センサーを備え、人のいる側の部屋の温度を目標温度に近づけるよう制御する作用を有する。
【００４６】
請求項１３記載の発明は、前記第一の部屋と前記第二の部屋にそれぞれ空気調和機の動作を検知する空調機検知手段を設け、前記空気調和機の動作している部屋の温度を目標温度に近づける制御する作用を有する。
【００４７】
（実施形態１）
以下、本発明の実施形態について図１〜図６を参照しながら説明する。
【００４８】
図１および図２に示すように、住宅１内の第一の部屋２と第二の部屋３を連通するダクトまたはガラリ等の第一の連通手段４と第一の部屋２と室外部５を可逆的に連通する第二の連通手段６と第二の部屋３と室外部７を可逆的に連通させる第三の連通手段８とで、換気経路形成し、第一の連通手段４には、後述する制御手段９により強制的に、かつ、決められた方向に空気を流す送風機１０を設けている。
【００４９】
また、第一の部屋２と第二の部屋３には、それぞれ、部屋内の温度を計測する第一の温度センサー１１と第二の温度センサー１２、部屋内の人を検知する第一の人感センサー１３と第二の人感センサー１４、室内の空気調和機の動作を検知する第一の空調機動作検知手段１５と第二の空調機動作検知手段１６、部屋内の日照状態を検知する第一の照度センサー１７と第二の照度センサー１８、および、あらかじめ生活パターンに応じて設定するタイマー手段１９を設け前述の制御手段９に信号を入力するよう構成されている。
【００５０】
また、制御手段９は、第一の人感センサー１３、第二の人感センサ−１４、第一の空調機動作検知手段１５、第二の空調機動作検知手段１６、第一の照度センサー１７、第二の照度センサー１８、タイマー手段１９の信号と強制制御手段２０の信号を受けて制御する部屋を選択する部屋選択手段２１と、この部屋選択手段２１のアルゴリズムに続いて、前記第一の温度センサー１１および第二の温度センサー１２の信号を受けて、送風機１０の運転を制御する換気制御手段２２から構成したものである。
【００５１】
さらに、この換気制御手段２２は、一方の部屋の温度を近づける目標温度を設定して、前記送風機１０を制御するための目標温度設定手段２３を備えている。
【００５２】
上記構成において、図３や図４のフローチャートに示すように、制御手段９は、部屋選択手段２１にて制御する部屋を決定する。まず、第一の部屋２に人がいるか否かを第一の人感センサー１３の信号から判定する。人がいる場合、第一の部屋２を予め設定しておいた目標温度に制御することとして、換気制御手段２２へアルゴリズムをすすめる。また、人がいないと判定した場合または、次に、第一の空調機動作検知手段１４の信号から第一の部屋の空調機が運転しているか判定をして、運転している場合、第一の部屋２を制御することとして、換気制御手段２２へアルゴリズムを進める。また、第一の部屋の空調機が運転していなければ、次に、第一の部屋の日照状態を第一の照度センサー１７にて検知して、所定の照度より高い場合、第一の部屋２を目標温度に制御することとして、換気制御手段２２へアルゴリズムをすすめる。また、所定の照度より低い場合、次に、タイマー手段１９により、第一の部屋２を制御する時間帯か否か判定して、第一の部屋２を制御する時間帯であれば、第一の部屋２を制御することとして、換気制御手段２２へアルゴリズムをすすめる。また、第一の部屋２を制御する時間帯でなければ、部屋選択手段２１の状態を検知して、第一の部屋２を制御する場合は、第一の部屋２を制御することとして、換気制御手段２２へアルゴリズムをすすめる。また、第二の部屋３を制御することとなった場合は、第二の部屋３を制御することとして、換気制御手段２２へアルゴリズムをすすめる。
【００５３】
換気制御手段２２は、前記部屋選択手段２１の結果により、第一の部屋２または、第二の部屋３の温度を温度設定手段２３によって、予め設定した温度へ近づけるようになる。
【００５４】
図５および図６において、第一の部屋２を制御する場合は、図に示すように、目標温度ｔ０に対して、高い温度側へ近づけるか、低い温度側へ近づけるかを読み込み、アルゴリズムにより、目標温度ｔ０より高い側へ近づける場合は、第二の部屋３の温度ｔ２を計測して、目標温度ｔ０より大きい場合は、送風機１０を運転して、第二の部屋３から第一の部屋２へ空気を流すこととなる。そして、第二の部屋３は、第３の連通手段８から室外部５の空気を給気して、第一の部屋２は、第二の連通手段６から室外部７へ排気することとなり、第一の部屋２へ第二の部屋から、第一の部屋２より温度の高い空気流して、第二の部屋の温熱を利用して、目標温度ｔ０へ近づけながら換気を行うこととなる。
【００５５】
また、第二の部屋３の温度を計測して、目標温度ｔ０より低い場合は、送風機９を運転して第一の部屋２から第二の部屋３へ空気を送ることとなる。第一の部屋２は、第二の連通手段６から室外部５の空気を給気して、第二の部屋３は、第三の連通手段８から室外部７へ排気することとなり、第一の部屋の温度を制御しながら、第一の部屋２および第二の部屋３を換気することとなる。さらに第一の部屋２が空気調和機により十分に目標温度に制御されている場合には、第一の部屋２の温熱を第二の部屋３へ、送り込むこととなり、換気をしながら、第二の部屋の温度を目標温度に近づけることとなる。
【００５６】
また、目標温度ｔ０より低い側へ近づける場合は、  第二の部屋３の温度ｔ２を計測して、目標温度ｔ０より低い場合は、送風機１０を運転して第二の部屋３から第一の部屋２へ空気を流すこととなる。そして、第二の部屋３は、第３の連通手段８から室外部５の空気を給気して、第一の部屋２は、第二の連通手段６から室外部７へ排気することとなり、第一の部屋２へ第二の部屋３から、第一の部屋２より温度の高い空気流して、第二の部屋の温熱を利用して、目標温度ｔ０へ近づけながら換気を行うこととなる。
【００５７】
また、目標温度ｔ０より低い側へ近づける場合は、  第二の部屋３の温度ｔ２を計測して、目標温度ｔ０より高い場合は、送風機１０を運転して第一の部屋２から第二の部屋３へ空気を送ることとなる。第一の部屋２は、第二の連通手段６から室外部５の空気を給気して、第二の部屋３は、第三の連通手段８から室外部７へ排気することとなり、第一の部屋２の温度を制御しながら、第一の部屋２および第二の部屋３を換気することとなる。さらに第一の部屋２が空気調和機により十分に目標温度に制御されている場合には、第一の部屋２の温熱を第二の部屋３へ送り込むこととなり、換気をしながら、第二の部屋３の温度を目標温度に近づけることとなる。
【００５８】
そして、各室内で発生、または、蓄積した熱を積極的に他の部屋へ導入して、他の部屋の温熱環境制御に利用することができる。
【００５９】
第一の部屋２を住宅の二階の部屋とし第二の部屋３を一階の部屋とした場合、例えば冬場は、二階の方が暖かく、一階の方が寒いため、一階の部屋を制御する場合、一般に部屋の温度を暖かくしたいので、換気制御手段２２のアルゴリズムのなかで、温度設定手段２３は、目標温度ｔ０を設定するなかで高いほうに近づけるように設定される。第二の部屋３の温度すなわち第二の温度センサー１８の温度ｔ２は、日中は、日照条件が一階より良いため高めになることから送風機１０の運転は、第二の部屋３から第一の部屋２へ強制的の空気を流すこととなる。すなわち二階の部屋から一階へ暖かい空気を流して、一階の部屋の温度を上げながら、換気を行なうことができる。また、夜になって、二階の温度が低くなり、第二の温度センサー１８の温度ｔ２が目標温度ｔ０より、低くなると送風機１０は、第一の部屋２から第二の部屋３へ空気を流すようになり、一階の部屋に二階の冷たい空気を流し込むことはなくなる。
【００６０】
第一の部屋２をリビングルームとし、第二の部屋３を寝室とした場合、部屋を使用する
時間帯が異なり、一般には、昼間は、リビングルームを制御して、夜は寝室を制御することとなる。この場合、昼間の第一の部屋２は、人が居住していて、第二の部屋３は、寝室であることから室内空間は閉ざされていて、温度の変化も少なく蓄熱状態になっている。
例えば夏場は、第一の部屋２は、空気調和機が運転していて、第二の部屋３は人がいないため空気調和機運転していないため比較的高い温度になっている。換気制御手段２２は、以下のアルゴリズムで、送風機１０を運転させることとなる。温度設定手段２３では、人が第一の部屋２にいることから、アルゴリズム上で第一の部屋２を制御することとして、目標温度は、目標温度ｔ０より低い温度へ近づける側へ設定される。そして、第二の温度センサー１２にて計測した温度ｔ２と、前記目標温度ｔ０を比較して、第二の温度センサー１２の温度ｔ２のほうがｔ０より高くなるため、第一の部屋２から第二の部屋３へ空気を強制的に流して、第一の部屋２と第二の部屋３の換気を行うこととなる。第二の部屋３は、第一の部屋２からの排気を利用して、温度を下げ第二の部屋３を目標温度ｔ０の近づけることができる。つぎに、夜間になって、第二の部屋３（寝室）へ人が移動すると、アルゴリズム上で第二の部屋３を制御することとなり、第一の温度センサー１１で計測した温度ｔ１と目標温度ｔ０を比較すると、第一の温度センサー１１の温度ｔ１の方が、第一の部屋２で空気調和機運転していたことから低くなっているので、送風機１０は、第一の部屋２から第二の部屋３へ引き続き空気を流して、換気を行うこととなる。そして、第二の部屋３は、第一の部屋２の余熱で、室内温度を目標温度に近づけることができる。
【００６１】
実施形態では、第一の部屋２と第二の部屋３にそれぞれ第一の温度センサー１１と第二の温度センサー１２を設けたことにより、第一の部屋２または第二の部屋３のどちらかを選択的に目標温度に近づけるようにして換気を行なうことができる。
【００６２】
次に、第一の部屋２をリビングルームとし、第二の部屋３を寝室とした場合の別の動作を説明する。一般にリビングルームは、寝室より日当たりの良い場所へ設けることから、例えば、第一の部屋２が日当たりが良く、暑い場合、第一の部屋２を制御する場合、換気制御手段２２は、以下のアルゴリズムで、制御を行なうこととなる。
【００６３】
目標温度は、部屋の温度を下げたいため、温度設定手段２３によって、目標温度ｔ０に対して低い側へ設定される。第二の温度センサー１２の計測温度ｔ２と目標温度ｔ０を比較して朝、または、午前中は、第二の部屋３の温度ｔ２は、低く目標温度ｔ０より低くなる。
【００６４】
したがって、送風機１０は、空気を第二の部屋３から第一の部屋２へ強制的に流して、第二の部屋３の室内温度を利用して、第一の部屋２の温度を目標温度に近づけるながら換気をおこなうこととができる。また、第二の温度センサーの温度ｔ２が目標温度ｔ０より高い場合は、第二の部屋３の温熱を利用することはなしに、送風機９は、第一の部屋２から第二の部屋３へ強制的に空気を流して、換気を行うこととなる。
【００６５】
第一の部屋２を例えば住宅の概ね西側の部屋とし、第二の部屋３を概ね東側の部屋とした場合、日照条件が、異なり、午前中は、第二の部屋３に日が良く当たり、第二の照度センサー１８によって、部屋選択手段２１で、第二の部屋３を制御するように選択されることとなる。また、午後になると、第一の部屋２に日が当るようになり、第一の照度センサー１７によって、部屋選択手段２１で、第一の部屋２を制御するように選択されることとなる。
【００６６】
第一の部屋２および第二の部屋３のそれぞれに空気調和機が取り付けられていて居住中に運転をしていてその後部屋を第二の部屋３から第一の部屋へ移動した場合に、空気調和機の運転も第二の部屋３から第一の部屋２の空気調和機へ変更される。この場合、手動の部屋選択または,第一の人感センサー１３により、第一の部屋２を制御することとなる。たとえば、夏場は、居住者が移動する前に第二の部屋３は、空気調機が運転されていたため第二の温度センサー１４の温度ｔ２は、目標温度ｔ０を空調機の設定温度冷房時は高く設定することにより目標温度ｔ０より低い状態になっている。また、換気制御手段２２で、温度設定手段２３は、目標温度ｔ０を設定するなかで、低い温度側に設定される。そして、第二の温度センサー１２の温度ｔ２と目標温度ｔ０は、比較されて、第二の温度センサー１２の温度ｔ２の方が、目標温度ｔ０より、低いことから、送風機１０は、第二の部屋３から第一の部屋２へ強制的に空気を流して、換気を行うこととなり、第二の部屋３に空気調和機の運転で蓄えられた温熱を、第一の部屋２へ導くこととなり、目標温度ｔ０に近づけながら換気を行うことができる。
【００６７】
なお、実施形態では、第一の部屋２を制御するために第二の部屋３の温度を計測して、強制的に空気の流れ方向を送風機１０によって、変えていたが、第一の部屋２の温度と第二の部屋３の温度を比較して、より目標温度に近くなる方向に送風機１０で空気を流しても良いことはいうまでもない。
【００６８】
また、実施形態では、第一の部屋２を概ね西側の部屋とし、第二の部屋３を概ね東側の部屋としているが、概ね北側の部屋と概ね南側の部屋としても、日照条件によって、目標温度に少なくとも一方の部屋の温度を近づけながら換気を行うことができることはいうまでもない。
【００６９】
さらに、本実施例で、あきらかなように、目標温度は、夏，冬を考慮して、空気調和機で設定する温度設定値に対して、空気調和機運転時の途中経過温度（冷房時は高め、暖房時は低め）に設定することにより、本発明の換気による室温の制御が可能となることはいうまでもない。
【産業上の利用可能性】
【００７０】
本発明にかかる換気システムは、連通手段でつながれた部屋間で一方の部屋の温度と予め設定した目標温度から強制的に空気の流れる方向を制御して、部屋間の熱の移動を考慮しながら換気を行うもので、特に居住していない部屋の温熱を有効に使用するものであることから、  住宅の構造上、上下に存在する部屋や西と東にとなりあって存在する部屋等日照に差がある部屋間や、リビングと寝室のように一日の生活パターンのなかで居住する時間帯が異なる部屋間の空気の流れを制御することで、個々の部屋に蓄積した温熱を活用しながら換気を行うことに有用である。
【図面の簡単な説明】
【００７１】
【図１】本発明の実施形態の換気システムの構造を示す図
【図２】本発明の換気システムの取り付け状態を示す図
【図３】同本発明の実施形態の部屋選択手段のフローチャート
【図４】同本発明の実施形態の部屋選択手段のフローチャート
【図５】同本発明の実施形態の部屋換気制御手段のフローチャート
【図６】同本発明の実施形態の部屋換気制御手段のフローチャート
【図７】従来の換気システムの実施形態の構造図
【符号の説明】
【００７２】
２  第一の部屋
３  第二の部屋
４  第一の連通手段
５  室外部
６  第二の連通手段
７  室外部
８  第三の連通手段
９  制御手段
１０  送風機
１１  第一の温度センサー
１２  第二の温度センサー
【図１】
2006098017.tif 000003
【図２】
2006098017.tif 000004
【図３】
2006098017.tif 000005
【図４】
2006098017.tif 000006
【図５】
2006098017.tif 000007
【図６】
2006098017.tif 000008
【図７】
2006098017.tif 000009